【手続補正書】
【提出日】平成18年11月15日(2006.11.15)
【手続補正１】
【補正対象書類名】明細書
【補正対象項目名】特許請求の範囲
【補正方法】変更
【補正の内容】
【特許請求の範囲】
【請求項１】  所定の機器に固有の固有情報と、送信機器と１つ以上の受信機器との間の論理的な接続を示すコネクション情報とを用いて、情報データの送受信を行うデータ通信システムにおいて、
上記１つ以上の受信機器の受信能力のうち、最も低い受信能力に従って上記情報データの送受信を行うことを特徴とするデータ通信システム。
【請求項２】  上記所定の機器は、上記コネクション情報を設定する管理機器であることを特徴とする請求項１に記載のデータ通信システム。
【請求項３】  上記管理機器は、上記情報データの送信に先立って、上記固有情報と上記コネクション情報とを上記送信機器と上記１つ以上の受信機器とに通知することを特徴とする請求項２に記載のデータ通信システム。
【請求項４】  上記送信機器と上記１つ以上の受信機器とは、上記管理機器を介することなく、上記固有情報と上記コネクション情報とを用いて上記情報データの送受信を行うことを特徴とする請求項２または３に記載のデータ通信システム。
【請求項５】  上記データ通信システムの接続構成が初期化された後、上記送信機器と上記１つ以上の受信機器とは、上記管理機器を介することなく上記情報データの送受信を再開することを特徴とする請求項２〜４の何れか１項に記載のデータ通信システム。
【請求項６】  上記データ通信システムの接続構成が初期化された後、上記送信機器と上記１つ以上の受信機器とは、上記固有情報と上記コネクション情報とを用いて上記情報データの送受信を再開することを特徴とする請求項１〜５の何れか１項に記載のデータ通信システム。
【請求項７】  上記受信機器の受信能力は、上記受信機器の具備する受信バッファのサイズを含むことを特徴とする請求項１〜６の何れか１項に記載のデータ通信システム。
【請求項８】  上記管理機器は、上記送信機器から送信される情報データを受信する受信機器の数を、上記コネクション情報と共に管理することを特徴とする請求項２または３に記載のデータ通信システム。
【請求項９】  上記情報データは、特定の受信機器を指定しない情報と共に送信されることを特徴とする請求項１〜８の何れか１項に記載のデータ通信システム。
【請求項１０】  上記固有情報と上記コネクション情報とは、上記データ通信システムの接続構成が初期化されても変化しないことを特徴とする請求項１〜９の何れか１項に記載のデータ通信システム。
【請求項１１】  所定の機器に固有の固有情報と、送信機器と１つ以上の受信機器との間の諭理的な接続を示すコネクション情報とを用いて、情報データの送受信を行うデータ通信システムに適用可能なデータ通信方法において、
上記１つ以上の受信機器の受信能力のうち、最も低い受信能力に従って上記情報データの送受信を実行させることを特徴とするデータ通信方法。
【請求項１２】  所定の機器に固有の固有情報と、１つ以上の受信機器との間の論理的な接続を示すコネクション情報とを用いて情報データの送受信を行う通信手段と、
上記１つ以上の受信機器の受信能力のうち、最も低い受信能力に従って上記通信手段の動作を制御する制御手段とを具備することを特徴とするデータ通信装置。
【請求項１３】  所定の機器に固有の固有情報と、送信機器と１つ以上の受信機器との間の諭理的な接続を示すコネクション情報とを用いて、情報データの送受信を行うことをコンピュータに実行させるためのプログラムを記憶したコンピュータ読み取り可能な記憶媒体において、
上記１つ以上の受信機器の受信能力のうち、最も低い受信能力に従って上記情報データの送受信を実行させることをコンピュータに実行させるためのプログラムを記憶したことを特徴とするコンピュータ読み取り可能な記憶媒体。
【請求項１４】  所定の機器に固有の固有情報と、１つ以上の受信機器との間の論理的な接続を示すコネクション情報とを用いて情報データの送受信を行う通信手段と、
上記１つ以上の受信機器の受信能力のうち、最も低い受信能力に従って上記通信手段の動作を制御する制御手段としてコンピュータを機能させるためのプログラムを記憶したことを特徴とするコンピュータ読み取り可能な記憶媒体。
【手続補正２】
【補正対象書類名】明細書
【補正対象項目名】００２２
【補正方法】変更
【補正の内容】
【００２２】
本発明の記憶媒体は、所定の機器に固有の固有情報と、送信機器と１つ以上の受信機器との間の諭理的な接続を示すコネクション情報とを用いて、情報データの送受信を行うことをコンピュータに実行させるためのプログラムを記憶したコンピュータ読み取り可能な記憶媒体において、上記１つ以上の受信機器の受信能力のうち、最も低い受信能力に従って上記情報データの送受信を実行させることをコンピュータに実行させるためのプログラムを記憶したことを特徴としている。
また、本発明の記憶媒体の他の特徴とするところは、所定の機器に固有の固有情報と、１つ以上の受信機器との間の論理的な接続を示すコネクション情報とを用いて情報データの送受信を行う通信手段と、上記１つ以上の受信機器の受信能力のうち、最も低い受信能力に従って上記通信手段の動作を制御する制御手段としてコンピュータを機能させるためのプログラムを記憶したことを特徴としている。
【手続補正３】
【補正対象書類名】明細書
【補正対象項目名】００２４
【補正方法】変更
【補正の内容】
【００２４】
【発明の実施の形態】
以下、図面を参照しながら、本発明のデータ通信システム、方法及び装置並びに記憶媒体の実施の形態について説明する。
図１において、10はcomputer（管理機器）であり、12は演算処理装置(MPU) 、14は第１の1394インターフェイス、16はキーボードなど第１の操作部、18は第１のデコーダ、20はCRT ディスプレイなどの表示装置、22はハードディスク、24は第１のメモリであり本発明に係るcomputer10の内部メモリ、26はPCI バスなどのコンピュータ内部バスである。
【手続補正４】
【補正対象書類名】明細書
【補正対象項目名】００２５
【補正方法】変更
【補正の内容】
【００２５】
また、28はVCR（送信機器、データ通信装置）であり、30は撮像光学系、32はアナログ−デジタル(A/D) 変換器、34はビデオ処理部、36は圧縮伸長回路、38は第１のメモリ、40は第２のメモリ、42は第１のデータセレクタ、44は第２の1394インターフェイス（通信手段）、46は第１のメモリ制御回路、48は第２のメモリ制御回路、50はシステムコントローラ（制御手段）、52は第２の操作部、54はファインダ、56はD/A 変換器、58は記録部である。
【手続補正５】
【補正対象書類名】明細書
【補正対象項目名】００２６
【補正方法】変更
【補正の内容】
【００２６】
さらに、60はプリンタ（受信機器）であり、62は第３の1394インターフェイス、64は第２のデータセレクタ、66は第３の操作部、68はプリンタコントローラ、70は第２のデコーダ、72は第３のメモリ、74は画像処理部、76はドライバ、78はプリンタヘッドである。
【手続補正６】
【補正対象書類名】明細書
【補正対象項目名】００４５
【補正方法】変更
【補正の内容】
【００４５】
上述したように、本実施の形態に係る、第１から第３の1394インターフェイス14,44,62は、それぞれ、1394シリアルバスのノードを構成する。第１の1394インターフェイス14は、コントロールノード、または、コントローラとして動作し、第２の1394インターフェイス（通信手段）44は、画像データのソースノードとして動作し、第３の1394インターフェイス62は、デスティネーションノードとして動作する。